(57)【要約】【課題】放送システムにおいて、放送帯域やデータ量の制約を受けずに音声出力とともに視覚情報を表示させる。【解決手段】表示すべき視覚情報を予め配信装置４に用意しておき、視覚情報をネットワーク通信回線により配信装置４から取得するために必要な所在情報だけを聴覚情報とともに送信装置２で音声放送する。音声情報を受信するとともに視覚情報の所在情報を受信した受信装置３から配信装置４にアクセスして、音声情報に関連する視覚情報を取得して表示させる。【選択図】　　　　　図１
2004080479.tif 000002
【特許請求の範囲】
【請求項１】
第一の情報を受信するとともに、該第一の情報に関連した視覚情報を含む第二の情報を第一の情報とは異なる伝送系統から取得して、該視覚情報を表示させることが可能な放送システムであって、
表示すべき視覚情報を含む上記第二の情報を予め配信装置に用意しておき、該第二の情報を通信回線により配信装置から取得するために必要な所在情報を上記第一の情報とともに放送することにより、該所在情報を受信した受信装置から上記配信装置にアクセスして上記第二の情報を取得してその視覚情報を表示させる
ことを特徴とする放送システム。
【請求項２】
請求項１に記載の放送システムにおいて、
上記第一の情報が聴覚情報とされ、上記第二の情報として該聴覚情報に関連する視覚情報が含まれており、
上記視覚情報をネットワーク通信回線により配信装置から取得するために必要な所在情報を上記聴覚情報とともにラジオ放送し、該所在情報を受信した受信装置から上記配信装置にアクセスして上記視覚情報を取得し、該視覚情報を聴覚情報の出力に連動して表示させる
ことを特徴とする放送システム。
【請求項３】
請求項２に記載の放送システムにおいて、
表示すべき視覚情報を記憶するとともに受信装置からの要求に応じて視覚情報を提供する配信装置と、
上記配信装置に記憶された視覚情報へのアクセスに必要な所在情報を、放送すべき音声情報とともに送信する送信装置と、
受信した音声情報と上記所在情報とを分離して該音声情報に係る音声出力を行うとともに、分離された所在情報を用いて上記配信装置へのアクセスにより視覚情報を取得して該視覚情報を音声情報の出力に連動して表示する受信装置を用いて構成される
ことを特徴とする放送システム。
【請求項４】
請求項３に記載した放送システムにおいて、
上記配信装置及び受信装置がコンピュータネットワークの通信回線に接続されており、ネットワークアドレスを用いて受信装置から配信装置内の視覚情報にアクセスされた場合に、要求された視覚情報を配信装置が受信装置に送信する
ことを特徴とする放送システム。
【請求項５】
請求項３に記載した放送システムにおいて、
表示すべき視覚情報が、音声情報に関連する楽曲情報又は広告情報である
ことを特徴とする放送システム。
【請求項６】
第一の情報を受信するとともに、該第一の情報に関連した視覚情報を含む第二の情報を第一の情報とは異なる伝送系統から取得して、該視覚情報を表示させることが可能な放送システムに用いる送信装置において、
放送すべき上記第一の情報の入力手段と、
配信装置が有する上記第二の情報を、上記第一の情報とは別系統の通信回線を通じて取得するために必要な所在情報を入力する所在情報入力手段と、
上記第一の情報を示す信号と、上記第二の情報に係る所在情報を示す信号とを重畳する重畳手段と、
上記重畳手段の出力信号を放送信号として送信する送信手段を備えている
ことを特徴とする送信装置。
【請求項７】
請求項６に記載の送信装置において、
上記第一の情報として放送すべき音声情報を示す音声信号と、ネットワーク通信回線を通じて上記配信装置が有する上記第二の情報に係る視覚情報を取得するために必要な所在情報の信号とを重畳した上で、これをラジオ放送信号として上記送信手段により送信する
ことを特徴とする送信装置。
【請求項８】
第一の情報を受信するとともに、該第一の情報に関連した視覚情報を含む第二の情報を第一の情報とは異なる伝送系統から取得して、該視覚情報を表示させることが可能な放送システムに用いる受信装置において、
放送信号を受信する受信手段と、
受信した放送信号から、上記第一の情報を示す信号とこれに付随する上記第二の情報の所在情報を示す信号とを分離する分離手段と、
分離された上記所在情報に基いて上記第一の情報とは別系統の通信回線を通じて配信装置が有する第二の情報を取得する情報取得手段と、
上記所在情報を用いて取得した上記第二の情報に係る視覚情報を表示する表示手段を備えている
ことを特徴とする受信装置。
【請求項９】
請求項８に記載の受信装置において、
上記受信手段が受信したラジオ放送信号から、上記第一の情報を含む音声信号とこれに付随する第二の情報に係る視覚情報の所在情報を示す信号とを分離し、分離された視覚情報の所在情報に基いてネットワーク通信回線を通じて配信装置が有する視覚情報を取得して表示する
ことを特徴とする受信装置。
【請求項１０】
請求項９に記載した受信装置において、
ネットワーク上での視覚情報の配信装置に係るアドレス情報が予め記憶されており、該アドレス情報をもとに視覚情報の配信装置が特定され、受信された視覚情報の所在情報を用いて該配信装置内の視覚情報へのアクセスが行われる
ことを特徴とする受信装置。
【請求項１１】
第一の情報を受信するとともに、該第一の情報に関連した視覚情報を含む第二の情報を第一の情報とは異なる伝送系統から取得して、該視覚情報を表示させることが可能な放送システムに用いる配信装置において、
上記第二の情報を蓄積するための記憶手段と、受信装置からのアクセスに応じて要求された上記第二の情報を送信する送受信手段とを備えている
ことを特徴とする配信装置。
【請求項１２】
請求項１１に記載の配信装置において、
上記記憶手段に記憶された第二の情報に係る視覚情報の所在情報を用いて受信装置からアクセスがなされた場合に、該アクセスに応じて要求された視覚情報を上記送受信手段が該受信装置に送信する
ことを特徴とする配信装置。
【発明の詳細な説明】
【０００１】
【発明の属する技術分野】
本発明は、音声情報とともに視覚情報の表示に必要な所在情報を送信する送信装置と、該所在情報を用いてネットワーク経由で視覚情報を取得して表示する受信装置とを用いた放送技術に関する。
【０００２】
【従来の技術】
音声情報とともに画像情報等を表示させる方法としては、例えば、テレビジョン放送のように両情報を同時に送信したり、あるいは、ネットワーク通信を利用して、音声情報とともに画像や図形等の視覚情報を配信する方法が知られている。
【０００３】
例えば、音声情報の放送等を行う場合において、音声信号による放送コンテンツとともに画像等の視覚認識によるコンテンツデータを配信することで、受信者は画像及び音声の視聴が可能となる。
【０００４】
【発明が解決しようとする課題】
しかしながら、音声放送の帯域を考えた場合に、画像情報等を伝送するに際して、例えば、下記のような問題がある。
【０００５】
・音声放送帯域が狭い場合には、音声信号とともに表示させたい画像データ等を伝送するための十分な帯域を確保できないことが多く、その結果、音声放送に連動させるに足る速度をもって画像データ等を配信して表示させることが困難である。
【０００６】
・音声放送に連動させて画像等の表示を行うためには、データ量を少なくしたり、視覚認識によるコンテンツの質を低下させる必要がある（動画をやめて静止画にしたり、あるいは、画質を落とす等。）。
【０００７】
よって、放送音声に関連した表示情報として、ユーザが十分に満足できる品質が得られなかったり、あるいは、表示の待ち時間が長くかかるといった不都合が起き得る。
【０００８】
そこで、本発明は、放送システムにおいて、放送帯域やデータ量の制約を受けずに、情報伝達を行うことを課題とする。
【０００９】
【課題を解決するための手段】
本発明は、上記した課題を解決するために、下記に示す構成を備えたものである。
【００１０】
・第一の情報（例えば、聴覚情報）に係る伝送系統と、該第一の情報に関連して表示すべき視覚情報を含む第二の情報に係る伝送系統とを別系統とすること。
【００１１】
・表示すべき視覚情報を含む第二の情報を予め配信装置に用意しておき、第二の情報を通信回線により配信装置から取得するために必要な所在情報を第一の情報とともに放送すること。
【００１２】
・上記所在情報を受信した受信装置から配信装置にアクセスして第二の情報を取得し、その視覚情報を表示させること。
【００１３】
従って、本発明によれば、視覚情報を含む第二の情報の所在情報を、第一の情報とともに送信し、該所在情報をもとに通信回線を通じて配信装置から視覚情報を取得することができるので、視覚情報自体を第一の情報とともに送信する必要がない。よって、放送帯域や視覚情報のデータ量について制約を受けずに、必要な視覚情報を得て表示させることができる。
【００１４】
【発明の実施の形態】
本発明は、放送される情報に関連した視覚情報を、放送とは異なる伝送系統から取得して表示させることが可能な放送システムに関するものである。
【００１５】
例えば、視聴覚情報に係るラジオ放送システムへの適用においては、地上波放送や衛星放送を利用したシステム、あるいは、携帯型電話機等の移動体通信端末装置や据置型電話機を用いた放送システムや、車両等の移動体向け放送（カーラジオ）システム等が挙げられる。
【００１６】
本発明では、種類の異なる複数の情報を、それぞれ別系統で伝送することを前提とする。この複数種の情報の１つを「第一の情報」と呼び、該情報に関連した視覚情報を含む情報を「第二の情報」と呼ぶことにすると、例えば、下記に示す形態が挙げられる。
【００１７】
（ａ）第一の情報（聴覚情報）と第二の情報（視覚情報又は聴覚情報）
（ｂ）第一の情報（聴覚情報）と第二の情報（視覚情報及び聴覚情報）
（ｃ）第一の情報（視覚情報及び聴覚情報）と第二の情報（視覚情報及び聴覚情報）
【００１８】
形態（ａ）では、例えば、音声情報とこれに付随する画像等の視覚情報を組み合わせることで、音楽を聞きながら歌詞等を表示させることができる。また、音声情報に対して関連する音声情報を組み合わせることにより、例えば、現在放送されているアーティストの曲に対して、該アーティストに関する別の曲目を複数表示させて、その選択肢から所望の曲を選んで聞くことができる。
【００１９】
また、形態（ｂ）では、例えば、音声情報とこれに付随する視聴覚情報を組み合わせることにより、音声ガイド（案内説明）等を聞いて、さらに詳細な情報を画像表示及び音声出力から得ることができる。
【００２０】
形態（ｃ）では、例えば、第一の情報を低品位情報（低画質の画像や、低音質の音声あるいはモノラル音声等）とし、第二の情報を高品位情報（高画質の画像や、高音質の音声あるいはステレオ音声や多チャンネル音声等）とする。これにより、ユーザが抱く興味のレベルに応じた品位の選択（即ち、第一の情報に興味を持ったユーザが、さらに高品位のデータを取得できるようにすること）が可能となる。
【００２１】
この他には、第一の情報を視覚情報のみとし、第二の情報を視覚情報及び聴覚情報とする等、各種情報の組み合せに応じた形態が挙げられるが、第一の情報を受信するとともに、第一の情報に関連した視覚情報を含む第二の情報を、第一の情報とは別系統から取得して視覚情報を表示させる形態が好ましい。
【００２２】
例えば、ラジオ放送システムでは、視覚情報を聴覚情報とは別の伝送系統から取得するための所在情報を聴覚情報とともに送信して、受信側で該所在情報を用いて必要な視覚情報をネットワーク通信等で取得して表示させることができる。このような形態によれば、後述するような、音声情報に関連する楽曲情報又は広告情報の表示が可能なラジオ放送システムを実現することができる。
【００２３】
尚、各情報に係る通信形態には、特定者から多数者への「１対多」の形態と、特定者から特定者に向けた形態あるいは「１対１」の形態、そして、多数者から特定者に向けた「多対１」の形態が挙げられるが、上記第一の情報については、情報の拡散性を考慮した場合、「１対多」の形態が好ましく、また、上記第二の情報については、「１対１」又は「多対１」の形態が好ましい。
【００２４】
図１は、放送システム１の基本構成例を示す概略図である。尚、本例では第一の情報を音声情報とし、該情報に連動して視覚情報（第二の情報）を表示させる場合のシステム例を示している。
【００２５】
以下では、視覚情報に関してインターネット等のネットワークを利用し、電気通信回線を通じて伝送可能な情報であって、人間の視覚により認識される情報を、「視覚コンテンツ」と呼ぶことにする。例えば、動画や静止画、テキストや図形、ＨＴＭＬ（Ｈｙｐｅｒ　Ｔｅｘｔ　Ｍａｒｋｕｐ　Ｌａｎｇｕａｇｅ）言語により記述されるウェブページ（Ｗｅｂ　Ｐａｇｅ）等が挙げられる。
【００２６】
本システムでは、送信装置２、受信装置３、配信装置４を備えており、受信装置３と配信装置４がコンピュータネットワーク等に通信回線で接続されている。
【００２７】
そして、視覚コンテンツとして表示すべき視覚情報が、予めコンテンツサーバー等の配信装置４に用意されており、送信装置２から受信装置３に対して、視覚情報をネットワーク通信回線で配信装置４から取得するために必要な所在情報を聴覚情報とともに放送する。つまり、視覚情報については、該情報自体ではなくその所在を示す情報だけを聴覚情報とともに放送する。
【００２８】
受信装置３では、放送信号から聴覚情報を受信するとともに、聴覚情報に関連する視覚情報の所在情報を受信し、該所在情報を用いてネットワーク経由で配信装置４にアクセスして視覚情報を取得して表示する。つまり、ネットワークアドレスを用いて受信装置３から配信装置４内の視覚情報（図１の「ＶＣＴ」参照）にアクセスし、要求された視覚情報が配信装置４から受信装置３に送信されることで情報が提供される。
【００２９】
このように、表示すべき視覚コンテンツのデータを予め配信装置４に用意しておき、送信装置２では、その視覚コンテンツをネットワーク経由で得る為に必要な所在情報（以下、「視覚コンテンツインデックス情報」という。）を音声情報とともに放送することで、受信装置３は表示すべき視覚コンテンツをネットワーク経由で得ることができる。
【００３０】
図２は、視覚コンテンツ表示機能を有するラジオ放送システムの概略的な説明図である。
【００３１】
本システムにおいて、放送局に設置される送信装置２（ラジオ送信装置）は、放送すべき音声情報に、視覚コンテンツインデックス情報を重畳して放送する。
【００３２】
視覚コンテンツインデックス情報は、コンテンツサーバー等の配信装置４が保有する視覚コンテンツへのアクセスに必要であり、例えば、インターネット上に存在する視覚コンテンツの所在情報（あるいはアドレス情報）である、ＵＲＬ（Ｕｎｉｆｏｒｍ　Ｒｅｓｏｕｒｃｅ　Ｌｏｃａｔｏｒ）が挙げられる。
【００３３】
受信装置（ラジオ受信装置）３は、放送信号を受信するとともに、受信信号を音声信号と視覚コンテンツインデックス情報の信号に分離する。そして、音声信号をスピーカー等の音声出力手段に供給して出力する一方で、視覚コンテンツインデックス情報を用いてネットワーク経由で配信装置４にアクセスし、視覚コンテンツのデータを取得して表示手段に出力する。尚、ネットワーク例としては、インターネットや、広域ネットワーク（ＷＡＮ）が挙げられる。
【００３４】
視覚コンテンツを保有する配信装置４はネットワークに繋がれていて、各受信装置３からのアクセスを受けて、要求された視覚コンテンツのデータを受信装置３に送信する。
【００３５】
図３は、本発明に係るラジオ放送システムに用いる送信装置の構成例を示す機能ブロック図である。
【００３６】
送信装置２では、配信装置４に記憶された視覚情報へのアクセスに必要な所在情報を、放送すべき音声情報とともに送信する必要がある。つまり、放送すべきコンテンツ（以下、「放送コンテンツ」という。）としては、音声情報及び視覚コンテンツインデックス情報を含む。
【００３７】
先ず、入力手段（音声信号入力手段）２ａより放送すべき音声信号を入力し、該信号を重畳手段（重畳器）２ｂへ出力する。音声信号の入力手段としては、例えば、カメラ、マイク、ＣＤ（コンパクトディスク）プレーヤー等の光学式ディスク再生装置、カセットテーププレーヤー等の磁気メディア再生装置等が挙げられる。
【００３８】
視覚コンテンツインデックス情報は、所在情報入力手段２ｃより入力され、重畳手段２ｂに送られる。視覚コンテンツインデックス情報の入力手段としては、ハードディスクドライブ装置等の記憶装置が挙げられる。
【００３９】
重畳手段２ｂは、音声情報を示す音声信号と、該音声情報に付随する視覚情報の所在情報を示す信号とを重畳するために設けられている。つまり、入力手段２ａから入力された音声信号と、所在情報入力手段２ｃから入力された視覚コンテンツインデックス情報の信号とを重畳し、その結果を送信手段２ｄへ出力する。
【００４０】
送信手段２ｄには、重畳手段２ｂの出力する信号が入力され、該信号に基く放送信号を生成して、放送コンテンツとして放送する。
【００４１】
以上の構成をもつ送信装置２によれば、放送すべき音声情報に対して、視覚コンテンツインデックス情報を重畳して放送することができる。
【００４２】
尚、重畳により生成される放送信号については、周波数多重化の方法や、パケット内の所定領域に視覚コンテンツインデックス情報をデータ（副データ）として挿入する方法、可聴信号に対する透かし（Ｗａｔｅｒ　Ｍａｒｋ）データとして視覚コンテンツインデックス情報を耳に聞こえない情報として埋め込んで伝送する方法等、各種の形態が挙げられる。
【００４３】
図４は、本発明に係るラジオ放送システムに用いる受信装置（ラジオ受信装置）の構成例を示す機能ブロック図である。
【００４４】
受信装置３では、受信した放送コンテンツに係る音声情報と、視覚コンテンツインデックス情報とを分離し、音声情報についてはスピーカー等により音声出力する。そして、視覚コンテンツインデックス情報を用いて配信装置４にアクセスすることにより視覚コンテンツのデータを取得して視覚情報を音声情報に連動して表示する。
【００４５】
そのために、放送信号を受信する受信手段３ａを有しており、受信した放送信号を分離手段（分離器）３ｂに出力する。
【００４６】
分離手段３ｂは、受信した放送信号から、音声信号とこれに付随する視覚コンテンツインデックス情報を示す信号とを分離する役目をもつ。つまり、受信手段３ａから入力した放送信号を、音声信号と視覚コンテンツインデックス情報の信号に分離し、前者を音声信号出力手段３ｃに出力し、後者を視覚コンテンツの情報取得手段（視覚コンテンツ受信手段）３ｄに出力する。
【００４７】
音声信号出力手段３ｃは、分離された音声信号を音響情報に変換して出力するものであり、スピーカーやイヤホン、ヘッドホン等が挙げられる。
【００４８】
情報取得手段３ｄは、視覚コンテンツインデックス情報に基いてネットワーク通信回線を通じて視覚コンテンツのデータを取得する役割をもつ。即ち、分離された視覚コンテンツインデックス情報が入力されると、直ちに該情報を用いて配信装置（コンテンツサーバー装置）４に対して、視覚コンテンツをリクエストする。そして、配信装置４から視覚コンテンツのデータを受信し、表示手段３ｅに出力する。尚、ネットワーク経由で視覚コンテンツを受信する手段としては、ＣＰＵ（中央処理装置）、メモリ（ＲＡＭやＲＯＭ）、Ｉ／Ｏ（入出力装置）を有するコンピュータ（マイクロコンピュータ等）と、ネットワーク接続手段（通信接続回路）で構成される装置が挙げられる。また、ネットワーク上での配信装置４に係るアドレス情報が受信装置３に予め記憶されているので、該アドレス情報をもとに配信装置４が特定され、受信された視覚コンテンツインデックス情報（所在情報）を用いて配信装置内の視覚情報にアクセスすることができる。
【００４９】
表示手段３ｅは、ネットワーク経由で取得した視覚コンテンツのデータを視覚化するための出力手段であり、例えば、ディスプレイモニター装置が挙げられる。
【００５０】
以上のような受信装置３によれば、放送コンテンツを受信し、音声情報と視覚コンテンツインデックス情報とを分離し、前者を音声出力する一方、後者を用いてネットワーク経由で配信装置にアクセスし、視覚コンテンツを得て出力（表示）することができる。
【００５１】
例えば、コンピュータや個人向け情報端末装置等にラジオ受信機を組み込んだり、該受信機を装置に接続した構成形態が挙げられ、音声情報及び視覚コンテンツインデックス情報をラジオ受信機で受信し、視覚コンテンツインデックス情報を用いてコンピュータネットワークから視覚コンテンツを取得することができる。あるいは、携帯型電話機等の移動体通信端末装置にラジオ受信機を組み込んだ構成形態では、音声情報及び視覚コンテンツインデックス情報をラジオ受信機で受信し、視覚コンテンツインデックス情報を用いて通信回線（電話回線）から視覚コンテンツを取得できる。
【００５２】
尚、音声情報と視覚コンテンツの情報について、両者間の同期を確立させた上で出力しても良いが、その必要性が低い場合には、視覚コンテンツ自体に音声情報を予め含めておけば済む。
【００５３】
図５は、本発明に係るラジオ放送システムに用いる配信装置（コンテンツサーバー装置）の構成例を示す機能ブロック図である。
【００５４】
配信装置４は、受信装置３からの要求に応じて視覚コンテンツのデータを送信する役割を有し、そのために、視覚コンテンツを蓄積する記憶手段４ａと、受信装置３からの視覚コンテンツインデックス情報を受け取るとともに要求された視覚コンテンツを受信装置３に送信する送受信手段４ｂを備えている。
【００５５】
視覚コンテンツの送受信手段４ｂは、受信装置３からの視覚コンテンツインデックス情報を用いたリクエスト信号を受信すると、該情報を用いて記憶手段（視覚コンテンツ記憶装置）４ａから視覚コンテンツを抽出して、データを受信装置３に送信する。視覚コンテンツのデータを送信する手段としては、ＣＰＵ、メモリ（ＲＡＭ、ＲＯＭ）、Ｉ／Ｏを有するコンピュータと、ネットワーク接続手段で構成される装置が挙げられる。
【００５６】
また、記憶手段である視覚コンテンツの記憶装置としては、ハードディスクドライブ装置等の磁気記録装置や、光磁気ディスク装置等が挙げられる。
【００５７】
以上のような配信装置４によれば、受信装置３からの求めに応じて、視覚コンテンツのデータを該受信装置に送信することができる。
【００５８】
上記した送信装置、受信装置及び配信装置を用いることにより、音声信号を受信すると共に、配信装置から視覚コンテンツのデータを得て、それらをほぼ同時に出力することが可能なラジオ放送システムを実現することができる。
【００５９】
尚、ネットワーク上でコンテンツサーバー装置（配信装置）がシステムに一つだけ存在している場合には、コンテンツサーバー装置のアドレス情報を事前に受信装置に記憶させておき、視覚コンテンツインデックス情報には当該アドレス情報を含めないようにした形態の方が効率的である。この場合、視覚コンテンツインデックス情報としては、コンテンツサーバー装置内の記憶手段から、望む視覚コンテンツを抽出する為の情報だけで済む（以下では、視覚コンテンツの抽出に用いる情報を「キー情報」と呼ぶことにする。）。即ち、受信装置では、装置自身が記憶するコンテンツサーバー装置のアドレス情報を用いてコンテンツサーバー装置にアクセスし、受信した視覚コンテンツインデックス情報、つまり、キー情報を用いて、望む視覚コンテンツを得るのである。
【００６０】
勿論、本発明の適用においては、このような形態に限らず、例えば、コンテンツサーバー装置が複数存在する場合に、ネットワーク上でコンテンツサーバー装置を特定するためのアドレス情報を、視覚コンテンツインデックス情報に含めるようにし、該情報をもとにコンテンツサーバー装置を探し出して該装置内の記憶手段にある視覚コンテンツにアクセスする形態を採用しても良い。
【００６１】
【実施例】
以下では、先ず、視覚コンテンツとして楽曲情報の表示機能を備えたデジタルラジオ放送（例えば、衛星ラジオ放送）システムに、本発明を適用した具体例について、図６乃至図９を参照しながら説明する。
【００６２】
図６は、ラジオ放送システムの概説図である。
【００６３】
本例のシステム５において、放送局のデジタルラジオ送信装置６は、放送すべき楽曲に、その楽曲に関する情報（楽曲情報）を得る為に必要な情報（以下、「楽曲インデックス情報」という。）を重畳した上で放送する。
【００６４】
デジタルラジオ受信装置７は、受信した放送信号をデジタルオーディオ信号と楽曲インデックス情報の信号に分離する。そして、デジタルオーディオ信号を装置自身が備えるスピーカー７ａにより出力する一方で、楽曲インデックス情報を用いてネットワーク経由で楽曲情報サーバー装置８にアクセスし、楽曲情報を得て、これを装置自身が備えるディスプレイモニター７ｂに出力する。
【００６５】
楽曲情報サーバー装置８は、デジタルラジオ受信装置７からのアクセスにより、楽曲インデックス情報に応じた楽曲情報、つまり、受信したデジタルオーディオ信号に関連する情報を抽出して、該情報をデジタルラジオ受信装置７に送信する。楽曲インデックス情報の例としては、その楽曲を収録するＣＤ（コンパクトディスク）の番号（識別番号）とトラック番号が挙げられる。また、楽曲情報の例としては、楽曲のタイトル、その楽曲を収録するＣＤのタイトル、ＣＤのカバーアート、演奏者名、その演奏者に関する情報等が挙げられる。
【００６６】
図７は、デジタルラジオ送信装置６の構成例を示す機能ブロック図である。
【００６７】
制御及び信号処理装置６ａには、放送すべき楽曲のデジタルオーディオ信号が、ＣＤプレーヤー等のディスクドライブ装置６ｂから入力される。一方、制御及び信号処理装置６ａは、楽曲インデックス情報を楽曲インデックス情報記憶装置６ｃから得る。例えば、楽曲インデックス情報記憶装置６ｃとして、ハードディスクドライブ装置（ＨＤＤ）等が挙げられる。
【００６８】
そして、制御及び信号処理装置６ａは、デジタルオーディオ信号に対して、楽曲インデックス情報の信号を重畳して放送信号とし、これを送信装置６ｄに出力する。尚、制御及び信号処理装置６ａは、ＲＯＭ（読み出し専用メモリ）９やＲＡＭ（ランダムアクセスメモリ）１０、制御中枢たるＣＰＵ１１、外部インターフェース用のＩ／Ｏ１２を備えたコンピュータの構成により実現できる。
【００６９】
送信装置６ｄは、制御及び信号処理装置６ａからの放送信号のラジオ送信を行い、放送する。
【００７０】
このようなデジタルラジオ送信装置６によれば、放送すべき楽曲情報とともに、楽曲情報を得る為に必要な楽曲インデックス情報を重畳して放送することができる。例えば、ＣＰＵ１１の制御下において、楽曲情報に関連付けられた楽曲インデックス情報を、楽曲インデックス情報記憶装置６ｃから検索してメモリに取り込むとともに、楽曲情報に対して楽曲インデックス情報を重畳させれば良い。
【００７１】
図８は、デジタルラジオ受信装置７の構成例を示す機能ブロック図である。
【００７２】
先ず、受信装置（あるいは受信部）７ｃは、受信した放送信号を制御及び信号処理装置７ｄに出力する。
【００７３】
制御及び信号処理装置（あるいは制御及び信号処理部）７ｄは、受信装置７ｃからの放送信号を、デジタルオーディオ信号と楽曲インデックス情報の信号に分離し、デジタルオーディオ信号をＤ／Ａ変換器（デジタル／アナログコンバータ）７ｅに出力する。尚、制御及び信号処理装置７ｄについては、ＲＡＭ１３やＲＯＭ１４を含むメモリと、ＣＰＵ１５、Ｉ／Ｏ１６を備えたコンピュータにより実現できる。
【００７４】
Ｄ／Ａ変換器７ｅにおいて、デジタルオーディオ信号はアナログオーディオ信号に変換されてから増幅器７ｆに出力される。増幅器７ｆは、アナログオーディオ信号を適切に増幅した上で、スピーカー７ａに信号出力する。該スピーカーは、オーディオ信号すなわち楽曲を出力する。
【００７５】
一方、制御及び信号処理装置７ｄは、該装置自身が予め記憶している楽曲情報サーバー装置８のＵＲＬを用いて、ネットワーク接続器（インターネット接続器）７ｇを経由し、インターネット上の楽曲情報サーバー装置８にアクセスする。つまり、該サーバ装置８に対して楽曲インデックス情報を送信して、該情報（キー情報）に対応した楽曲情報を取得する。そして、制御及び信号処理装置７ｄは、取得した楽曲情報をディスプレイモニター７ｂに出力する。これにより、ディスプレイモニター７ｂ上に楽曲情報が表示される。
【００７６】
このようなデジタルラジオ受信装置７によれば、受信した放送信号をデジタルオーディオ信号と楽曲インデックス情報の信号に分離した上で、オーディオ信号についてはアナログ変換してスピーカー７ａより出力するとともに、楽曲インデックス情報を用いてネットワーク経由で楽曲情報サーバーにアクセスすることにより楽曲情報を得て、ディスプレイモニター７ｂより出力することができる。尚、信号分離や楽曲情報の取得処理等については、ＣＰＵ１５の制御下に行われ、音声出力と楽曲情報の表示とが連動して行われる。
【００７７】
図９は、楽曲情報サーバー装置８の機能ブロック図である。
【００７８】
本例において、制御及び信号処理装置８ａは、ＲＡＭ１７、ＲＯＭ１８を含むメモリと、ＣＰＵ１９、Ｉ／Ｏ２０を備えたコンピュータを用いて構成されており、ネットワーク接続器８ｂを介して通信回線に接続されている。また、制御及び信号処理装置８ａは、楽曲情報を保有する楽曲情報記憶装置８ｃに接続されている。尚、楽曲情報記憶装置８ｃは、例えば、ハードディスクドライブ装置等で実現できる。
【００７９】
先ず、制御及び信号処理装置８ａでは、ネットワーク接続器８ｂを経由して、上記のデジタルラジオ受信装置７から送られてくる楽曲インデックス情報を得る。次に、制御及び信号処理装置８ａは、その楽曲インデックス情報を用いて、楽曲情報記憶装置８ｃの記憶情報の中から、要求された楽曲情報を探し出す。そして、制御及び信号処理装置８ａはネットワーク接続器８ｂを経由して、楽曲情報をデジタルラジオ受信装置７に送信する。
【００８０】
このような楽曲情報サーバー装置８によれば、デジタルラジオ受信装置７からのアクセスにより、楽曲インデックス情報に対応する楽曲情報を抽出して該情報を送信することができる。
【００８１】
そして、以上に説明したデジタルラジオ送信装置６、デジタルラジオ受信装置７及び楽曲情報サーバー装置８を用いて、楽曲情報の表示が可能なデジタルラジオ放送システムを構築することができ、該システムによれば、楽曲（音声情報）の受信と共に、楽曲情報サーバー装置から楽曲情報を得て、それらをほぼ同時に出力することができる。
【００８２】
尚、本例では、コンテンツサーバー装置（楽曲情報サーバー装置８）がシステム上でただ一つだけ存在していることを前提として、該装置のネットワーク上でのアドレス情報が事前にデジタルラジオ受信装置に記憶されている形態を採用しているが、これに限らず、コンテンツサーバー装置がネットワーク上で複数存在する場合であっても、本発明を実現できることは明白である。例えば、楽曲インデックス情報（視覚コンテンツインデックス情報）にコンテンツサーバー装置の所在を示すアドレス情報を含めるようにし、コンテンツのアドレス情報について装置間で送受信を行うようにすれば、同一又は複数のシステム上でコンテンツサーバー装置を複数有することに、何の不都合も無い。
【００８３】
次に、本発明の広告配信への適用例について、図１０乃至図１３を用いて説明する。
【００８４】
図１０は、本発明を適用した、広告表示機能を備えたデジタルラジオ放送システムについての概略的な説明図である。
【００８５】
本例のシステム２１において、放送局のデジタルラジオ送信装置２２は、放送すべき広告音声信号に対して、その広告に関する視覚コンテンツ（以下、「広告コンテンツ」という。）を得る為に必要な情報（以下、「広告インデックス情報」という。）を重畳して放送する。
【００８６】
デジタルラジオ受信装置２３は、受信した信号をデジタルオーディオ信号と広告インデックス情報とに分離し、デジタルオーディオ信号をスピーカー２３ａより出力する。その一方で、広告インデックス情報を用いてネットワーク経由で広告コンテンツサーバー装置２４、２４、…のいずれかにアクセスして広告コンテンツを取得し、これをディスプレイモニター２３ｂに出力する。広告コンテンツサーバー装置２４は、デジタルラジオ受信装置２３からのアクセスにより、広告インデックス情報に対応する広告コンテンツを送信する。
【００８７】
広告インデックス情報の例としては、インターネット上に存在する広告コンテンツのＵＲＬが挙げられる。また、広告コンテンツとしては、動画や静止画、テキスト、ウェブページ等が挙げられる。
【００８８】
本例では、情報サーバー群を構成する、複数の広告コンテンツサーバー装置（図には、コンテンツサーバー装置が３つ存在する。）がネットワーク上に存在し、各サーバー装置をネットワーク上で特定するための識別情報と併せて広告コンテンツのキー情報が用いられる（本発明の適用において、サーバー装置に数に依らないことは勿論である。）。
【００８９】
図１１は、デジタルラジオ送信装置２２の構成例を示す機能ブロック図である。
【００９０】
図７に示す構成との相違点は、以下の通りである（よって、図７に示す各部と相違しない部分については既に使用した符号と同じ符号を用いることにする。）。
【００９１】
・放送すべき広告のデジタルオーディオ信号を記憶する広告信号記憶装置２２ａが設けられていること
・広告インデックス情報を記憶する広告インデックス記憶装置２２ｂが設けられていること。
【００９２】
先ず、制御及び信号処理装置６ａは、放送すべき広告のデジタルオーディオ信号を、広告信号記憶装置２２ａから入手する。尚、広告信号記憶装置２２ａには、ハードディスクや光ディスクのドライブ装置等が用いられる。
【００９３】
他方、制御及び信号処理装置６ａは、上記デジタルオーディオ信号に関連する広告インデックス情報を広告インデックス記憶装置２２ｂから得る。この広告インデックス記憶装置２２ｂには、ハードディスクドライブ装置等が用いられる。
【００９４】
制御及び信号処理装置６ａでは、デジタルオーディオ信号に対して、広告インデックス情報を重畳し、その結果を送信装置６ｄに出力することにより放送する。
【００９５】
このようなデジタルラジオ送信装置２２によれば、放送すべき広告音声信号に、広告コンテンツを得る為に必要な広告インデックス情報を重畳して放送することができる。
【００９６】
図１２は、デジタルラジオ受信装置２３の構成例を示す機能ブロック図である。
【００９７】
取り扱う情報（広告コンテンツや広告インデックス情報）の違いを除いて、基本的には、図８に示す構成と同様である（よって、図８に示す各部と相違しない部分については既に使用した符号と同じ符号を用いることにする。）。
【００９８】
受信装置（あるいは受信部）７ｃにおいて受信した放送信号は、制御及び信号処理装置７ｄに送出される。
【００９９】
制御及び信号処理装置（あるいは制御及び信号処理部）７ｄは、受信装置７ｃから入力された放送信号を、デジタルオーディオ信号と広告インデックス情報の信号に分離し、デジタルオーディオ信号はＤ／Ａ変換器７ｅに出力する。
【０１００】
Ｄ／Ａ変換器７ｅは、入力されたデジタルオーディオ信号をアナログオーディオ信号に変換して、増幅器７ｆに出力する。そして、増幅器７ｆは、アナログオーディオ信号を適切に増幅し、スピーカー２３ａに出力する（広告音声信号を出力する。）。
【０１０１】
一方、制御及び信号処理装置７ｄは、広告インデックス情報を用いて、ネットワーク接続器７ｇを経由し、インターネット上の広告コンテンツサーバー装置２４にアクセスする。つまり、広告コンテンツサーバー装置２４に広告インデックス情報を送信し、広告インデックス情報に対応した広告コンテンツを取得する。そして、制御及び信号処理装置７ｄは、その広告コンテンツをディスプレイモニター２３ｂに出力して表示する。尚、図１０に示すように、ネットワーク上で広告コンテンツサーバー装置が複数存在する場合には、広告コンテンツサーバー装置を特定するためのアドレス情報を用いて所望の広告コンテンツにアクセスする必要がある（既知のように、ネットワーク上でユニークなアドレス情報を用いれば良い。）。
【０１０２】
このようなデジタルラジオ受信装置２３によれば、受信した放送信号をデジタルオーディオ信号と広告インデックス情報に分離し、オーディオ信号についてはスピーカー２３ａにより出力するとともに、広告インデックス情報を用いてネットワーク経由で広告コンテンツサーバー装置２４にアクセスして広告コンテンツを取得して、音声出力とほぼ同時にディスプレイモニター２３ｂ上で広告表示を行える。
【０１０３】
図１３は、広告コンテンツサーバー装置２４の構成例を示す機能ブロック図である。
【０１０４】
図９に示す構成との相違点は、楽曲情報記憶装置８ｃに代わって、広告コンテンツ記憶装置２４ｃ（ハードディスクドライブ装置等）が設けられていることである（よって、図９に示す各部と相違しない部分については既に使用した符号と同じ符号を用いることにする。）。
【０１０５】
先ず、制御及び信号処理装置８ａは、ネットワーク接続器８ｂを経由して、デジタルラジオ受信装置２３から広告インデックス情報を得る。次に、制御及び信号処理装置８ａは、その広告インデックス情報を用いて、広告コンテンツ記憶装置２４ｃから広告インデックス情報に対応する広告コンテンツを得る。そして、制御及び信号処理装置８ａは、ネットワーク接続器８ｂを経由して、デジタルラジオ受信装置２３に広告コンテンツを送信する。
【０１０６】
このような広告コンテンツサーバー装置２４によれば、デジタルラジオ受信装置２３からのアクセスにより、広告インデックス情報に基いて要求された広告コンテンツを送信することができる。
【０１０７】
以上に説明したデジタルラジオ送信装置２２、デジタルラジオ受信装置２３及び広告コンテンツサーバー装置２４を用いれば、広告信号（音声信号）を受信すると共に、広告コンテンツサーバー装置２４から広告コンテンツを得て、それらをほぼ同時に出力することが可能なデジタルラジオ広告放送システムを実現することができる。
【０１０８】
尚、上記の説明では、視覚コンテンツを音声情報と連動させるために、受信装置においては、視覚コンテンツインデックス情報を受信した時点から、直ちに視覚コンテンツを取得して表示するように構成されたシステムを前提としているが、視覚コンテンツの内容によっては必ずしも放送に連動させる必要が無い場合もある。そのような場合には、例えば、受信装置が、視覚コンテンツインデックス情報（所在情報）を記憶するための記憶手段を備え、視覚コンテンツインデックス情報を受信したときに、この情報を記憶手段に一旦記憶しておき（該情報を履歴情報として残す。）、後から必要に応じて視覚コンテンツを入手して表示できるように構成すれば良い。つまり、音声情報の受信時に記憶手段に記憶しておいた視覚コンテンツインデックス情報を用いて、コンテンツサーバー装置にアクセスし、該情報に対応する視覚コンテンツを取得すれば良い。また、この方法を用いれば、視覚コンテンツを放送すなわち音声信号に連動させている場合であっても、過去に表示された視覚コンテンツを再現（あるいは再生）することができる（放送に連動した１度きりの表示では、その視覚コンテンツをその都度記憶する必要が生じることになるが、視覚コンテンツそのものを記憶することなく、視覚コンテンツインデックス情報を使って再び表示させることでユーザの利便性を高めることができる。）。尚、記憶手段としては、不揮発性メモリや補助記憶装置（ハードディスクドライブ装置等）が好ましい。
【０１０９】
また、上記の説明では、音声放送に連動して視覚コンテンツを表示するラジオ放送システムだけに言及しているが、対象とするコンテンツが視覚コンテンツ以外のコンテンツ（例えば、聴覚情報のみを含むコンテンツ等）である場合においても、本発明を適用することができるし、また、視覚情報として提供されるコンテンツの如何を問わないので、ネットワーク経由で伝送可能な、如何なるコンテンツでも、本発明を用いることで、ラジオ放送と連動させて表示させることが可能である。
【０１１０】
しかして、上記した構成によれば、表示すべき視覚コンテンツを予めコンテンツサーバー装置に用意しておき、送信装置では、その視覚コンテンツをネットワーク経由で得る為に必要な情報（視覚コンテンツインデックス情報）だけを音声情報とともに放送することで、受信装置において、表示すべき視覚コンテンツをネットワーク経由で得ることができる。即ち、音声放送帯域を利用して視覚コンテンツ自体の伝送を行う必要がなく、また、視覚コンテンツの品質の低下を余儀なくされることがない。
【０１１１】
【発明の効果】
以上に記載したところから明らかなように、請求項１に係る発明によれば、視覚情報を含む第二の情報自体を、第一の情報とともに送信する必要がないので、放送帯域や視覚情報のデータ量について制約を受けずに、情報伝達を行うことができる。
【０１１２】
請求項２や請求項３、請求項７、請求項９に係る発明によれば、視覚情報の所在情報だけを聴覚情報とともに送信すれば済み、視覚情報自体を聴覚情報とともに送信する必要がないので、放送帯域や視覚情報のデータ量の制約を受けずに、ネットワーク経由で視覚情報を得て表示させることができる。よって、視覚情報の表示速度が遅くなったり、画質が十分でないといった問題を解消するとともに、ユーザが音声を聴きながら視覚情報を直ちに見ることができる。
【０１１３】
請求項４に係る発明によれば、コンピュータネットワーク上でのアドレスを用いて視覚情報にアクセスすることができ、既存のネットワークを利用して視覚情報を配信することができる。
【０１１４】
請求項５に係る発明によれば、音声放送とともに楽曲情報や広告情報を配信するシステムへの適用において、大幅なシステム改変や設備投資を伴わずに情報拡散や配布が可能である。
【０１１５】
請求項６に係る発明によれば、第一の情報と、第二の情報の所在情報とを重畳して放送することにより、効率的な情報伝送が可能となり、所在情報の伝送にかかる負担が少ない。
【０１１６】
請求項８や請求項１１、請求項１２に係る発明によれば、受信装置からネットワーク通信回線を通じて配信装置の保有する第二の情報を直に取得することが可能となる。
【０１１７】
請求項１０に係る発明によれば、ネットワーク上での配信装置に係るアドレス情報を予め受信装置に記憶させておくことにより、配信装置内の視覚情報へのアクセスにおいて、視覚情報を抽出するための情報を用いれば済むので、処理の効率化に適している。
【図面の簡単な説明】
【図１】本発明に係る放送システムの基本構成例を示す概略図である。
【図２】本発明に係る視覚コンテンツ表示機能を備えたラジオ放送システムの説明図である。
【図３】本発明に係る視覚コンテンツ表示機能を備えたラジオ放送システムに用いる送信装置の機能ブロック図である。
【図４】本発明に係る視覚コンテンツ表示機能を備えたラジオ放送システムに用いる受信装置の機能ブロック図である。
【図５】本発明に係る視覚コンテンツ表示機能を備えたラジオ放送システムに用いる配信装置の機能ブロック図である。
【図６】図７乃至図９とともに、本発明を適用した楽曲情報表示のためのデジタルラジオ放送システムについて実施例を示すものであり、本図はシステム構成の説明図である。
【図７】デジタルラジオ送信装置の機能ブロック図である。
【図８】デジタルラジオ受信装置の機能ブロック図である。
【図９】楽曲情報サーバー装置の機能ブロック図である。
【図１０】図１１乃至図１３とともに、本発明を適用した広告表示のためのデジタルラジオ放送システムについて実施例を示すものであり、本図はシステム構成の説明図である。
【図１１】デジタルラジオ送信装置の機能ブロック図である。
【図１２】デジタルラジオ受信装置の機能ブロック図である。
【図１３】広告コンテンツサーバー装置の機能ブロック図である。
【符号の説明】
１…放送システム、２…送信装置、２ａ…入力手段、２ｂ…重畳手段、２ｃ…所在情報入力手段、２ｄ…送信手段、３…受信装置、３ａ…受信手段、３ｂ…分離手段、３ｄ…情報取得手段、３ｅ…表示手段、４…配信装置、４ａ…記憶手段、４ｂ…送受信手段
【図１】
2004080479.tif 000003
【図２】
2004080479.tif 000004
【図３】
2004080479.tif 000005
【図４】
2004080479.tif 000006
【図５】
2004080479.tif 000007
【図６】
2004080479.tif 000008
【図７】
2004080479.tif 000009
【図８】
2004080479.tif 000010
【図９】
2004080479.tif 000011
【図１０】
2004080479.tif 000012
【図１１】
2004080479.tif 000013
【図１２】
2004080479.tif 000014
【図１３】
2004080479.tif 000015